【事件の表示】
　特願２００９−２７６５１８「コード解析による応用プログラムの自動駆動方法」拒絶査定不服審判事件〔平成２２年　６月１７日出願公開、特開２０１０−１３４９３２〕について、次のとおり審決する。
【結　論】
　本件審判の請求は、成り立たない。
【理　由】
１．手続の経緯
　
　本件審判請求に係る出願（以下、「本願」という。）は、平成２１年１２月４日（パリ条約による優先権主張外国庁受理２００８年１２月５日、大韓民国）を出願日とする出願であって、平成２１年１２月４日付けで審査請求がなされ、平成２４年４月２日付けで拒絶理由通知（同年４月６日発送）がなされ、同年７月４日付けで意見書が提出されるとともに、同日付けで手続補正がなされ、同年７月２５日付けで拒絶査定（同年７月２７日謄本送達）がなされたものである。
　これに対して、『「原査定を取り消す。本願の発明は特許すべきものとする。」、との審決を求める。』ことを請求の趣旨として、平成２４年１１月２６日付けで本件審判請求がなされるとともに、同日付けで手続補正がなされたものである。
　そして、平成２５年１月１６日付けで審査官により特許法第１６４条第３項に定める報告（前置報告）がなされ、同年４月１５日付けで当審により特許法第１３４条第４項の規定に基づく審尋（同年４月１６日発送）がなされたが、請求人からの応答がなかったものである。
　
２．本願発明
　
　本願の特許請求の範囲の請求項１に係る発明（以下、「本願発明」という。）は、上記平成２４年１１月２６日付け手続補正書により補正された明細書及び特許請求の範囲の記載からみて、その特許請求の範囲の請求項１に記載された以下のとおりのものと認める。
　
「識別手段からのコード認識のための応用プログラムを駆動するステップと、
　認識されたコードの解析要請に対するコード解析応答をコード解析サーバから受信するステップと、
　前記コード解析応答に含まれた情報に基づいて特定サービスの当該応用プログラムを駆動するステップと、を含み、
　前記コード解析サーバは、特定コードに対応するサービス接続情報及び応用プログラム識別情報がマッチングされたコード情報を管理し、
　前記コード解析応答に含まれた特定サービスの接続情報に基づいて、当該サービス提供サーバに接続を要請して利用するステップをさらに含むことを特徴とする応用プログラムの自動駆動方法。」
　
３．引用文献に記載されている技術的事項及び引用発明の認定
　
（１）引用文献１
　
　本願の優先日前に頒布され、上記平成２４年４月２日付けの拒絶理由通知において引用された文献である、国際公開２００６／０９０４６０号（２００６年８月３１日国際公開、以下、「引用文献１」という。）には、関連する図面とともに、以下の技術的事項が記載されている。
（当審注：下線は、参考のために当審で付与したものである。）
　
Ａ　「[0006]
　
この発明は
無線ＩＣタグを用いることで、ユーザが意識することなく簡単な操作で、その場で使用するアプリケーションＳ／Ｗを自動的に起動できる
ことを目的とする
　
Ｂ　「[0020]
　次に動作について説明する。
　
図５はこの発明の実施の形態１による携帯情報端末の処理の流れを示すフローチャート
　
ステップＳＴ１０１において
アプリケーションＳ／Ｗ選択部１１１は処理を開始する
[0021]
　
ステップＳＴ１０２において、無線ＩＣタグリーダ部１２は、アプリケーションＳ／Ｗ選択部１１１の指示に基づき
無線ＩＣタグ２１の個体識別コード２１１を取得してアプリケーションＳ／Ｗ選択部１１１に通知する
　
Ｃ　「[0040]
　次に動作について説明する。
　
図１３はこの発明の実施の形態２による携帯情報端末の処理の流れを示すフローチャート
　
ステップＳＴ２０１及びステップＳＴ２０２の処理は、上記実施の形態１の図５に示すステップＳＴ１０１及びステップＳＴ１０２の処理と同じ
　
Ｄ　「[0042]
　
ステップＳＴ２０５において、アプリケーションＳ／Ｗ選択部１１１は
個体識別コード２１１に含まれている属性コードをキーとして
アプリケーションＳ／Ｗの
ファイル名を取得してアプリケーションＳ／Ｗ実行部１１２に通知し、アプリケーションＳ／Ｗ実行部１１２は
アプリケーションＳ／Ｗの実行形式のファイルを読み込んで起動する
　
Ｅ　「[0061]
　次に動作について説明する。
　
図１６はこの発明の実施の形態３による携帯情報端末の処理の流れを示すフローチャート
　
ステップＳＴ３０１及びステップＳＴ３０２の処理は、上記実施の形態２の図１３に示すステップＳＴ２０１及びステップＳＴ２０２の処理と同じ
　
Ｆ　「[0062]
　ステップＳＴ３０３において、アプリケーションＳ／Ｗ選択部１１１は、アプリケーションＳ／Ｗ情報記憶部１３１に格納されている図１０に示すアプリケーションＳ／Ｗ情報テーブルに、
個体識別コード ２１１に含まれる属性コード
　
Ｇ　「[0063]
　
ステップＳＴ３０４において
アプリケーションＳ／Ｗ選択部１１１の指示に基づき
属性コードと共に、アプリケーションＳ／Ｗ配信サーバ３
へ送信し、属性コード
に対応するアプリケーションＳ／Ｗが登録されているか否かの問い合わせを行う
[0064]
　ステップＳＴ３０５において、アプリケーションＳ／Ｗ配信部３１は、アプリケーションＳ／Ｗ配信サーバ３に、受信した属性コードと端末識別情報に対応するアプリケーションＳ／Ｗが登録されているか否かを調べる。アプリケーションＳ／Ｗが登録されていない場合にはステップＳＴ３０６に進み、
アプリケーションＳ／Ｗが登録されている場合には
・・・（中略）・・・
[0065]
　
ステップＳＴ３０７において
アプリケーションＳ／Ｗ配信部３１より、登録されているアプリケーションＳ／Ｗ情報、
、関連する属性別情報
を、アプリケーションＳ／Ｗ取得部１８１を介して取得
[0066]
　
ステップＳＴ３０８
の
処理は、上記実施の形態２の図１３におけるステップ ＳＴ２０５
の
処理と同じ
　
Ｈ　「請求の範囲
[1]
　
外部の無線ＩＣタグから所定のアプリケーションＳ／Ｗに関連付けられた個体識別コードを受信する無線ＩＣタグリーダ部
　記憶されている複数のアプリケーションＳ／Ｗの中から、上記無線ＩＣタグリーダ部により受信された個体識別コードに関連付けられたアプリケーションＳ／Ｗを選択するアプリケーションＳ／Ｗ選択部と、
該アプリケーションＳ／Ｗ選択部により選択されたアプリケーションＳ／Ｗを実行するアプリケーションＳ／Ｗ実行部とを備えた携帯情報端末。」
　
Ｊ　「
アプリケーションＳ／Ｗ情報テーブル
属性コードに対応させて、機種種別、アプリケーションＳ／Ｗ名、アプリケーションＳ／Ｗファイル名が格納されている
　
　ここで、上記引用文献１に記載されている事項を検討する。
　
（ア）上記Ａの「この発明は・・・無線ＩＣタグを用いることで、ユーザが意識することなく簡単な操作で、その場で使用するアプリケーションＳ／Ｗを自動的に起動できる・・・ことを目的とする」との記載からすると、引用文献１には、
“アプリケーションＳ／Ｗの自動起動方法”
が記載されていると解される。
　
（イ）上記Ｅの「図１６はこの発明の実施の形態３による携帯情報端末の処理の流れを示すフローチャート・・・ステップＳＴ３０１及びステップＳＴ３０２の処理は、上記実施の形態２の図１３に示すステップＳＴ２０１及びステップＳＴ２０２の処理と同じ」との記載、上記Ｃの「図１３はこの発明の実施の形態２による携帯情報端末の処理の流れを示すフローチャート・・・ステップＳＴ２０１及びステップＳＴ２０２の処理は、上記実施の形態１の図５に示すステップＳＴ１０１及びステップＳＴ１０２の処理と同じ」との記載、上記Ｂの「図５はこの発明の実施の形態１による携帯情報端末の処理の流れを示すフローチャート・・・ステップＳＴ１０１において・・・アプリケーションＳ／Ｗ選択部１１１は処理を開始する・・・ステップＳＴ１０２において、無線ＩＣタグリーダ部１２は、アプリケーションＳ／Ｗ選択部１１１の指示に基づき・・・無線ＩＣタグ２１の個体識別コード２１１を取得してアプリケーションＳ／Ｗ選択部１１１に通知する」との記載、上記Ｈの「外部の無線ＩＣタグから所定のアプリケーションＳ／Ｗに関連付けられた個体識別コードを受信する無線ＩＣタグリーダ部」との記載からすると、引用文献１に記載されている方法が、
“無線ＩＣタグリーダ部により受信された個体識別コードを取得するアプリケーションＳ／Ｗ選択部を開始するステップ”を含む
態様が記載されていると解される。
　
（ウ）上記Ｈの「外部の無線ＩＣタグから所定のアプリケーションＳ／Ｗに関連付けられた個体識別コードを受信する」との記載、上記Ｆの「個体識別コード ２１１に含まれる属性コード」との記載、上記Ｇの「ステップＳＴ３０４において・・・アプリケーションＳ／Ｗ選択部１１１の指示に基づき・・・属性コードと共に、アプリケーションＳ／Ｗ配信サーバ３・・・へ送信し、属性コード・・・に対応するアプリケーションＳ／Ｗが登録されているか否かの問い合わせを行う・・・アプリケーションＳ／Ｗが登録されている場合には・・・ステップＳＴ３０７において・・・アプリケーションＳ／Ｗ配信部３１より、登録されているアプリケーションＳ／Ｗ情報、・・・、関連する属性別情報・・・を、アプリケーションＳ／Ｗ取得部１８１を介して取得」との記載からすると、引用文献１に記載されている方法が、
“受信した個体識別コードに含まれる属性コードをアプリケーションＳ／Ｗ配信サーバへ送信し、当該属性コードに対応するアプリケーションＳ／Ｗ情報及び関連する属性別情報を、前記アプリケーションＳ／Ｗ配信サーバから取得するステップ”を含む
態様が記載されていると解される。
　
（エ）上記（ウ）における検討内容、上記Ｊの“アプリケーションＳ／Ｗ情報テーブル・・・属性コードに対応させて・・・アプリケーションＳ／Ｗファイル名が格納されている”態様、上記Ｅの「図１６はこの発明の実施の形態３による携帯情報端末の処理の流れを示すフローチャート」との記載、上記Ｇの「ステップＳＴ３０８・・・の・・・処理は、上記実施の形態２の図１３におけるステップ ＳＴ２０５・・・の・・・処理と同じ」との記載、上記Ｄの「ステップＳＴ２０５において、アプリケーションＳ／Ｗ選択部１１１は・・・個体識別コード２１１に含まれている属性コードをキーとして・・・アプリケーションＳ／Ｗの・・・ファイル名を取得してアプリケーションＳ／Ｗ実行部１１２に通知し、アプリケーションＳ／Ｗ実行部１１２は・・・アプリケーションＳ／Ｗの実行形式のファイルを読み込んで起動する」との記載からすると、引用文献１に記載されている方法が、
“アプリケーションＳ／Ｗ配信サーバから受信したアプリケーションＳ／Ｗ情報に含まれるアプリケーションＳ／Ｗのファイル名を取得して当該アプリケーションＳ／Ｗの実行形式のファイルを読み込んで起動するステップ”を含む
態様が記載されていると解される。
　
（オ）上記Ｇの「ステップＳＴ３０４において・・・アプリケーションＳ／Ｗ選択部１１１の指示に基づき・・・属性コードと共に、アプリケーションＳ／Ｗ配信サーバ３・・・へ送信し、属性コード・・・に対応するアプリケーションＳ／Ｗが登録されているか否かの問い合わせを行う・・・アプリケーションＳ／Ｗが登録されている場合には・・・ステップＳＴ３０７において・・・アプリケーションＳ／Ｗ配信部３１より、登録されているアプリケーションＳ／Ｗ情報、・・・、関連する属性別情報・・・を、アプリケーションＳ／Ｗ取得部１８１を介して取得」との記載から、属性コードをアプリケーションＳ／Ｗ配信サーバへ送信し、当該属性コードに対応するアプリケーションＳ／Ｗ情報及び関連する属性別情報を取得している態様が読み取れる。そして、アプリケーションＳ／Ｗ配信サーバが、受信した属性コードに対応するアプリケーションＳ／Ｗ情報及び関連する属性別情報を送信できるということは、属性コードに対応するアプリケーションＳ／Ｗ情報及び関連する属性別情報を、当該属性コードに対応付けられた情報として管理していることに他ならない。してみると、引用文献１には、
“アプリケーションＳ／Ｗ配信サーバは、属性コードに対応するアプリケーションＳ／Ｗ情報及び関連する属性別情報を、属性コードに対応付けられた情報として管理”する
態様が記載されていると解される。
　
　以上、（ア）ないし（オ）で指摘した事項を踏まえると、引用文献１には、次の発明（以下、「引用発明」という。）が記載されているものと認められる。
　
「無線ＩＣタグリーダ部により受信された個体識別コードを取得するアプリケーションＳ／Ｗ選択部を開始するステップと、
　受信した前記個体識別コードに含まれる属性コードをアプリケーションＳ／Ｗ配信サーバへ送信し、当該属性コードに対応するアプリケーションＳ／Ｗ情報及び関連する属性別情報を、前記アプリケーションＳ／Ｗ配信サーバから取得するステップと、
　前記アプリケーションＳ／Ｗ配信サーバから受信した前記アプリケーションＳ／Ｗ情報に含まれるアプリケーションＳ／Ｗのファイル名を取得して当該アプリケーションＳ／Ｗの実行形式のファイルを読み込んで起動するステップと、を含み、
　前記アプリケーションＳ／Ｗ配信サーバは、前記属性コードに対応するアプリケーションＳ／Ｗ情報及び関連する属性別情報を、属性コードに対応付けられた情報として管理することを特徴とするアプリケーションＳ／Ｗの自動起動方法。」
　
（２）引用文献２
　
　本願の優先日前に頒布され、上記平成２４年４月２日付けの拒絶理由通知において引用された刊行物である、特開２００５−９２４６９号公報（平成１７年４月７日公開、以下、「引用文献２」という。）には、関連する図面（特に、図１）とともに、以下の技術的事項が記載されている。
（当審注：下線は、参考のために当審で付与したものである。）
　
Ｋ　「【技術分野】
【０００１】
　
本発明は
携帯端末装置及びそれらに用いるアプリケーション取得／起動方法に関し、特に端末装置がアプリケーションプログラムを取込んで起動する方法
　
Ｌ　「【００１８】
　次に、本発明の実施の形態について図面を参照して説明する。
図１は本発明の実施の形態によるアプリケーション取得／起動システムの構成を示すブロック図
【００１９】
　
データベースサーバ２はデータベース３を備えており、データベース３には位置情報、アプリケーションプログラム
識別子、アプリケーション取得先の組
が蓄積されている
・・・（中略）・・・
【００２１】
　
端末１は位置情報取得装置１１によって位置情報Ｐ
を取得した場合
位置情報Ｐをキーとするデータベース３の検索を行う。端末１はこのデータベース３の検索の結果を基に、アプリケーション識別子Ｐとアプリケーション取得先Ｐとをデータベース３から取得する
・・・（中略）・・・
【００２３】
　アプリケーションＡＱがアプリケーション格納領域１２に存在しない場合、端末１はアプリケーション取得先Ｐと通信手段１３とを用いて
アプリケーション取得先Ｐに対応するサーバ
からアプリケーションＰをダウンロードして
【００２４】
　アプリケーションＰを保存する際、端末１はアプリケーションＰに関連付けてアプリケーション識別子Ｐ及びアプリケーション取得先Ｐをアプリケーション格納領域１２に保存する。
その後、端末１はアプリケーションＰを起動する
【００２５】
　
このように、本発明の実施の形態は、端末１の位置情報に応じたアプリケーションを、データベース３
に保存されているアプリケーションとその関連属性とから導き出し、導き出したアプリケーションを端末１内で起動することによって、ユーザの位置に応じて適切なアプリケーションを自動的に起動することができる
　
　上記Ｋ及びＬの記載からすると、引用文献２には、次の技術が記載されているものと認められる。
　
“取得した情報をキーとして、サーバからアプリケーション取得先に関する情報を取得し、当該取得したアプリケーション取得先からアプリケーションをダウンロードして自動的に起動する”技術
　
（３）引用文献３
　
　本願の優先日前に頒布され、上記平成２４年４月２日付けの拒絶理由通知において引用された刊行物である、特開２００２−３５４５６１号公報（平成１４年１２月６日公開、以下、「引用文献３」という。）には、関連する図面とともに、以下の技術的事項が記載されている。
（当審注：下線は、参考のために当審で付与したものである。）
　
Ｍ　「【００３０】また、環境データ３６ｂとして、パソコン３の起動に必要なユーザー名やパスワードと、ＯＳの動作環境の設定に使用される環境情報とが設定されたものを説明したが、
環境データ３６ｂとして、特定のアプリケーションプログラムの動作環境を示す環境情報、例えば
設定されていてもよい
その場合には
接続先を自動的な切り替えることができる
　
（４）引用文献４
　
　本願の優先日前に頒布され、上記平成２４年４月２日付けの拒絶理由通知において引用された刊行物である、特開２００７−１４１０９１号公報（平成１９年６月７日公開、以下、「引用文献４」という。）には、関連する図面とともに、以下の技術的事項が記載されている。
（当審注：下線は、参考のために当審で付与したものである。）
　
Ｎ　「【００４３】
　なお、上記
サービス特定情報としては、例えば設定対象のアプリケーション・プログラムを表す情報と接続先アドレスとの組み合わせが考えられる
　また、操作許可トークンとしてはその都度生成されるランダムな文字列のようなものでもよいが、セキュリティをより強化するために公開鍵暗号化方式を用いて上記ランダム文字列を暗号化するようにしてもよい。」
　
５．対比
　
　ここで、引用発明と本願発明を対比する。
　
（１）引用発明の「無線ＩＣタグリーダ部」及び「個体識別コード」は、それぞれ、本願発明の「識別手段」及び「コード」に相当する。また、引用発明の「アプリケーションＳ／Ｗ選択部」は、本願発明の「応用プログラム」に対応している。そして、引用発明の「無線ＩＣタグリーダ部により受信された個体識別コードを取得するアプリケーションＳ／Ｗ選択部を開始する」こととは、アプリケーションＳ／Ｗ選択部を駆動して無線ＩＣタグリーダ部から取得した個体識別コードを認識することといえるものである。
　そうすると、引用発明の「無線ＩＣタグリーダ部により受信された個体識別コードを取得するアプリケーションＳ／Ｗ選択部を開始するステップ」は、本願発明の「識別手段からのコード認識のための応用プログラムを駆動するステップ」に相当するといえる。
　
（２）引用発明の「アプリケーションＳ／Ｗ配信サーバ」は、本願発明の「コード解析サーバ」に対応する。また、引用発明の「個体識別コードに含まれる属性コード」は、無線ＩＣタグリーダ部から受信したコード（個体識別コード）に基づきアプリケーションＳ／Ｗ選択部によって“認識されたコード”といえるものである。
　そして、引用発明の「受信した前記個体識別コードに含まれる属性コードをアプリケーションＳ／Ｗ配信サーバへ送信し、当該属性コードに対応するアプリケーションＳ／Ｗ情報及び関連する属性別情報を、前記アプリケーションＳ／Ｗ配信サーバから取得する」とは、受信した個体識別コードに含まれる属性コードをアプリケーションＳ／Ｗ配信サーバへ送信（本願発明の「解析要請」に相当）し、当該属性コードに対応する情報（本願発明の「コード解析応答」に相当）を受信していることに他ならない。
　そうすると、引用発明の「受信した前記個体識別コードに含まれる属性コードをアプリケーションＳ／Ｗ配信サーバへ送信し、当該属性コードに対応するアプリケーションＳ／Ｗ情報及び関連する属性別情報を、前記アプリケーションＳ／Ｗ配信サーバから取得するステップ」は、本願発明の「認識されたコードの解析要請に対するコード解析応答をコード解析サーバから受信するステップ」に相当するといえる。
　
（３）引用発明の「前記アプリケーションＳ／Ｗ配信サーバから受信した前記アプリケーションＳ／Ｗ情報」は、本願発明の「前記コード解析応答に含まれた情報」に相当する。
　また、引用発明の「当該アプリケーションＳ／Ｗの実行形式のファイル」が、本願発明の「特定サービスの当該応用プログラム」に対応する。そして、引用発明の「アプリケーションＳ／Ｗ情報に含まれるアプリケーションＳ／Ｗのファイル名を取得して当該アプリケーションＳ／Ｗの実行形式のファイルを読み込んで起動する」とは、アプリケーションＳ／Ｗ情報に基づいて当該アプリケーションＳ／Ｗの実行形式のファイルを起動することに他ならない。
　そうすると、引用発明の「前記アプリケーションＳ／Ｗ配信サーバから受信した前記アプリケーションＳ／Ｗ情報に含まれるアプリケーションＳ／Ｗのファイル名を取得して当該アプリケーションＳ／Ｗの実行形式のファイルを読み込んで起動するステップ」は、本願発明の「前記コード解析応答に含まれた情報に基づいて特定サービスの当該応用プログラムを駆動するステップ」に相当するといえる。
　
（４）引用発明の「属性コード」は、アプリケーションＳ／Ｗ配信サーバ上でデータを管理する際に、キーとなるコードであることから、本願発明の「特定コード」に相当する。また、引用発明の「アプリケーションＳ／Ｗ情報及び関連する属性別情報」は、本願発明の「応用プログラム識別情報」に相当する。
　そして、引用発明の「属性コードに対応するアプリケーションＳ／Ｗ情報及び関連する属性別情報を、属性コードに対応付けられた情報として管理する」とは、属性コードに対応するアプリケーションＳ／Ｗ情報及び関連する属性別情報を属性コードにマッチングさせて管理していることに他ならない。
　そうすると、引用発明の「前記アプリケーションＳ／Ｗ配信サーバは、前記属性コードに対応する前記アプリケーションＳ／Ｗ情報及び関連する属性別情報を管理する」ことと、本願発明の「前記コード解析サーバは、特定コードに対応するサービス接続情報及び応用プログラム識別情報がマッチングされたコード情報を管理」することとは、“前記コード解析サーバは、特定コードに対応する応用プログラム識別情報がマッチングされたコード情報を管理”することである点で共通する。
　
　以上から、本願発明と引用発明とは、以下の点で一致し、また、以下の点で相違する。
　
（一致点）
　
「識別手段からのコード認識のための応用プログラムを駆動するステップと、
　認識されたコードの解析要請に対するコード解析応答をコード解析サーバから受信するステップと、
　前記コード解析応答に含まれた情報に基づいて特定サービスの当該応用プログラムを駆動するステップと、を含み、
　前記コード解析サーバは、特定コードに対応する応用プログラム識別情報がマッチングされたコード情報を管理することを特徴とする応用プログラムの自動駆動方法。」
　
（相違点１）
　
　コード解析応答に含まれるコード情報に関して、本願発明が、「特定コードに対応するサービス接続情報及び応用プログラム識別情報」であるのに対して、引用発明は、本願発明の「応用プログラム識別情報」に相当するコード情報（属性コードに対応するアプリケーションＳ／Ｗ情報及び関連する属性別情報）は含んでいるが、本願発明の「サービス接続情報」に相当するコード情報を含んでいない点。
　
（相違点２）
　
　本願発明が、「前記コード解析応答に含まれた特定サービスの接続情報に基づいて、当該サービス提供サーバに接続を要請して利用するステップ」を含んでいるのに対して、引用発明は、当該ステップを含んでいない点。
　
６．当審の判断
　
　上記相違点１及び相違点２について検討する。
　
　上記引用文献２（特に、上記Ｋ及びＬ等参照）に記載されるように、取得した情報をキーとして、サーバからアプリケーション取得先に関する情報を取得し、当該取得したアプリケーション取得先からアプリケーションをダウンロードして自動的に起動する技術は、周知技術にすぎない。
　また、上記引用文献３（特に、上記Ｍ等参照）及び引用文献４（特に、上記Ｎ等参照）にも記載されているように、サーバでアプリケーションの接続先情報（例えば、上記引用文献３の「接続先の登録情報」、上記引用文献４の「接続先アドレス」）を管理しておき、当該接続先情報に基づいてアプリケーションを自動的に起動する技術は、当該技術分野において、普通に採用されている周知技術に他ならない。
　
　してみると、引用発明においても、これら周知技術を適用し、アプリケーションＳ／Ｗ配信サーバにおいて、属性コードに対応付けて、アプリケーションＳ／Ｗの接続先情報についても管理しておき、当該接続情報に基づいて、アプリケーションＳ／Ｗをダウンロードして自動的に実行するように構成すること、すなわち、上記相違点１及び相違点２に係る構成とすることは、当業者が容易に想到し得たことである。
　
　よって、相違点１及び相違点２は格別なものではない。
　
　そして、これらの相違点を総合的に勘案しても、本願発明の奏する作用効果は、上記引用発明及び周知技術の奏する作用効果から予測される範囲内のものにすぎず、格別顕著なものということはできない。
　
　したがって、本願発明は、引用発明及び周知技術に基づいて、容易に発明できたものである。
　
７．むすび 
　
　以上のとおり、本願の請求項１に係る発明は、本願の特許出願前に日本国内又は外国において頒布された刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない。
　
　したがって、その余の請求項について論及するまでもなく、本願は拒絶すべきものである。
　
　よって、結論のとおり審決する。